(57)【要約】  第１および第２放電電極による放電生成物の減少を抑制する。正側および負側放電電極（１１，１２）の間の仕切り板（１４）は、高さが正側および負側放電電極（１１，１２）の上端部よりも高く、風の流れ方向と平行であり、下流側端部が、正側および負側放電電極（１１，１２）並びに誘導電極の下流側端部のうちの最も下流側に存在する電極最下流側端部と同じ位置またはその電極最下流側端部よりも上流側に存在する。
2020013143.tif 000002
【特許請求の範囲】
【請求項１】
筐体と、
前記筐体の上面から突出した第１および第２放電電極と、
第３電極とを備え、
前記第１および第２放電電極と前記第３電極との間の放電により、第１および第２放電生成物を生じる放電装置において、
前記第１放電電極と前記第２放電電極との間に、高さが前記第１および第２放電電極の上端部よりも高い仕切り部材を備え、
前記仕切り部材は、前記第１および第２放電電極の並び方向と交差する方向、かつ前記筐体の上面に沿う方向である風の流れ方向と平行に設けられ、前記風の流れの下流側端部が、前記第１および第２放電電極並びに前記第３電極の下流側端部のうちの最も下流側に存在する電極最下流側端部と同じ位置または前記電極最下流側端部よりも上流側に存在することを特徴とする放電装置。
【請求項２】
棒形状の横部材および縦部材を連結して形成され、高さが前記第１および第２放電電極の上端部よりも高い電極保護部を備え、
前記電極保護部は、前記第１および第２放電電極に対する前記仕切り部材とは反対側位置に、前記風の流れの上流側の第１縦部材と下流側の第２縦部材とを少なくとも有し、
前記第１および第２放電電極に対する、前記風の流れの上流方向および下流方向、上方並びに前記仕切り部材とは反対方向が開放状態であることを特徴とする請求項１に記載の放電装置。
【請求項３】
電極保護部は、前記第１放電電極側の前記第１縦部材の上端部から前記第２放電電極側の前記第１縦部材の上端部まで延びている、前記横部材である第１横部材、および前記第１放電電極側の前記第２縦部材の上端部から前記第２放電電極側の前記第２縦部材の上端部まで延びている、前記横部材である第２横部材を有し、
前記第１および第２横部材は前記仕切り部材と連結されていることを特徴とする請求項２に記載の放電装置。
【請求項４】
前記仕切り部材は、前記第１放電電極の中心と前記第２放電電極の中心とを結ぶ線が前記仕切り部材と交わる位置に対して、前記風の流れの下流側部分よりも上流側部分の方が長くなっていることを特徴とする請求項１から３のいずれか１項に記載の放電装置。
【請求項５】
前記仕切り部材は、前記風の流れの下流側部分の方が上流側部分よりも幅が広くなっていることを特徴とする請求項１から４のいずれか１項に記載の放電装置。
【請求項６】
請求項１から５のいずれか１項に記載の放電装置を備えていることを特徴とする機器。
【発明の詳細な説明】
【技術分野】
【０００１】
本発明は、空気調和機等の機器に備えられる放電装置に関する。
【背景技術】
【０００２】
従来、放電装置として、室内の空気の浄化、殺菌または消臭等を行うイオン発生装置が知られている。イオン発生装置は、針状あるいはブラシ状の放電電極に高電圧を印加し、放電電極の先端と誘導電極との間でコロナ放電を発生させることによりイオンを発生する。このようなイオン発生装置は、通常、空気調和機の空気を吹き出す風路に取り付けられている。【０００３】
イオン発生装置は、特許文献１に開示されているように、通常、正イオンおよび負イオンを発生する。このために、イオン発生装置は、放電電極として、正イオンを発生させる正側の放電電極、および負イオンを発生させる負側の放電電極を備える。【０００４】
具体的には、イオン発生装置は、正側の放電電極と誘導電極との間に正の高電圧を印加するとコロナ放電により正イオンが発生し、負側の放電電極と誘導電極との間に負の高電圧を印加するとコロナ放電により負イオンが発生する。【０００５】
また、発生した正イオンと負イオンとは互いに接触すると、電気的に中和され、イオン量が減少する。そこで、特許文献２では、正イオンと負イオンとを混ざり難くするために、正側の放電電極を有する正イオン発生素子と負側の放電電極を有する負イオン発生素子との間に仕切り板を設けている。仕切り板は、風路での風の流れ方向と平行である。
【先行技術文献】
【特許文献】
【０００６】
【特許文献１】日本国特許公報「特開２０１０−０４４９１７号公報」
【特許文献２】日本国特許公報「特開２００９−６６０２９号公報」
【発明の概要】
【発明が解決しようとする課題】
【０００７】
しかしながら、仕切り板は、発生した正イオンと負イオンとを混ざり難くする反面、発生した正イオンおよび負イオンが仕切り板に付着し、イオン量を減少させるという作用も有する。したがって、特許文献２に開示されているように、正イオン発生素子と負イオン発生素子との間に単に仕切り板を設けただけの構成では、却ってイオン量が減少する虞があるという問題点を有している。【０００８】
本発明の一態様は、第１放電電極による放電生成物、および第２放電電極による放電生成物の減少を抑制することができる放電装置の提供を目的としている。
【課題を解決するための手段】
【０００９】
上記の課題を解決するために、本発明の一態様に係る放電装置は、筐体と、前記筐体の上面から突出した第１および第２放電電極と、第３電極とを備え、前記第１および第２放電電極と前記第３電極との間の放電により、第１および第２放電生成物を生じる放電装置において、前記第１放電電極と前記第２放電電極との間に、高さが前記第１および第２放電電極の上端部よりも高い仕切り部材を備え、前記仕切り部材は、前記第１および第２放電電極の並び方向と交差する方向、かつ前記筐体の上面に沿う方向である風の流れ方向と平行に設けられ、前記風の流れの下流側端部が、前記第１および第２放電電極並びに前記第３電極の下流側端部のうちの最も下流側に存在する電極最下流側端部と同じ位置または前記電極最下流側端部よりも上流側に存在する。
【発明の効果】
【００１０】
本発明の一態様によれば、第１放電電極による放電生成物と第２放電電極による放電生成物とが混ざり合って減少する事態を抑制することができる。
【図面の簡単な説明】
【００１１】
【図１】本発明の実施形態の放電装置としてのイオン発生装置の構成を示す斜視図である。
【図２】図２の（ａ）は、上記イオン発生装置の正面図、図２の（ｂ）は、上記イオン発生装置の平面図、図２の（ｃ）は、上記イオン発生装置の図２の（ｂ）におけるＡ方向側面図、図２の（ｄ）は、上記イオン発生装置の図２の（ｂ）におけるＢ−Ｂ断面図、図２の（ｅ）は、上記イオン発生装置１の図２の（ｂ）におけるＣ方向側面図である。
【図３】上記イオン発生装置の正側放電電極、仕切り板および誘導電極の位置関係を示す説明図である。
【図４】上記イオン発生装置を取り付けた空気調和機としての空気清浄機の縦断面図である。
【図５】図５の（ａ）は、本発明の他の実施形態のイオン発生装置の正面図、図５の（ｂ）は、図５の（ａ）のイオン発生装置２の平面図である。
【図６】本発明のさらに他の実施形態のイオン発生装置の正側放電電極、仕切り板および誘導電極の位置関係を示す説明図である。
【図７】本発明のさらに他の実施形態のイオン発生装置の正側放電電極、仕切り板および誘導電極の位置関係を示す説明図である。
【図８】本発明のさらに他の実施形態のイオン発生装置の構成を示す斜視図である。
【図９】本発明のさらに他の実施形態のイオン発生装置の構成を示す斜視図である。
【図１０】図１０の（ａ）は、本発明のさらに他の実施形態のイオン発生装置の正面図、図１０の（ｂ）は、図１０の（ａ）に示したイオン発生装置の平面図である。
【図１１】本発明の実施形態のイオン発生装置が有する誘導電極の第１の構成例を示す平面図である。
【図１２】上記イオン発生装置が有する誘導電極の第２の構成例を示す平面図である。
【図１３】上記イオン発生装置が有する誘導電極の第３の構成例を示す平面図である。
【図１４】上記イオン発生装置が有する誘導電極の第４の構成例を示す平面図である。
【図１５】図１５の（ａ）は上記イオン発生装置が有する誘導電極の第５の構成例を示す平面図、図１５の（ｂ）は図１５の（ａ）に示した誘導電極の正面図である。
【図１６】図１６の（ａ）は上記イオン発生装置が有する誘導電極の第６の構成例を示す平面図、図１６の（ｂ）は図１６の（ａ）に示した誘導電極の正面図である。
【図１７】図１７の（ａ）は上記イオン発生装置が有する誘導電極の第７の構成例を示す平面図、図１７の（ｂ）は図１７の（ａ）に示した誘導電極の正面図である。
【図１８】図１８の（ａ）は、本発明の実施形態のイオン発生装置が有する仕切り板の効果の検証に使用したイオン発生装置を示す平面図、図１８の（ｂ）は、図１８の（ａ）に示したイオン発生装置８の正面図、図１８の（ｃ）は、図１８の（ａ）に示したイオン発生装置の側面図である。
【図１９】本発明の実施形態のイオン発生装置が有する仕切り板の効果の検証のためのイオン濃度の測定状態を示す説明図である。
【図２０】図２０の（ａ）は、図１９に示した機器におけるイオン発生装置の取り付け状態を示す正面図、図２０の（ｂ）は図２０の（ａ）におけるＤ−Ｄ断面図である。
【図２１】本発明の実施形態のイオン発生装置が有する仕切り板の効果の検証結果を示す説明図である。
【図２２】本発明の本実施形態の空気調和機としての空気清浄機の構成を示す縦断面図である。
【図２３】図２３は、図２２に示した空気清浄機に取り付けられるイオン発生装置を示す斜視図である。
【図２４】図２２に示した空気清浄機の吹出風路にイオン発生装置を取り付けた状態を示す斜視図である。
【図２５】図２５の（ａ）は、図２４の状態の平面図、図２５の（ｂ）は、図２５の（ａ）に示した吹出風路の装置装着部の構成を示す平面図である。
【図２６】本発明の他の実施形態の空気調和機としての空気清浄機における吹出風路の装置装着部の構成を示す平面図である。
【発明を実施するための形態】
【００１２】
〔実施形態１〕
（イオン発生装置１の構成）
（イオン発生装置１の構成の概要）
以下、本発明の実施形態を図面に基づいて以下に説明する。図１は、本実施形態の放電装置としてのイオン発生装置１の構成を示す斜視図である。図２の（ａ）は、上記イオン発生装置１の正面図、図２の（ｂ）は、上記イオン発生装置１の平面図、図２の（ｃ）は、上記イオン発生装置１の図２の（ｂ）におけるＡ方向側面図、図２の（ｄ）は、上記イオン発生装置１の図２の（ｂ）におけるＢ−Ｂ断面図、図２の（ｅ）は、上記イオン発生装置１の図２の（ｂ）におけるＣ方向側面図である。図３は、上記イオン発生装置１の正側放電電極１１、仕切り板１４および誘導電極１６の位置関係を示す説明図である。
【００１３】
図１から図３に示すように、イオン発生装置１は、正側放電電極（第１放電電極）１１、負側放電電極（第２放電電極）１２、筐体部１３、仕切り板（仕切り部材）１４、電極保護部１５、誘導電極１６（第３電極、図３参照）および電極基板１７（図３参照）を有している。
【００１４】
筐体部１３は、絶縁性の樹脂にて形成され、例えば箱形状である。筐体部１３は、電極基板１７および図示しない回路基板等を内部に収容している。電極基板１７には、正側および負側放電電極１１，１２が上面に対して法線方向に設けられている（図３参照）。また、電極基板１７の上面における正側および負側放電電極１１，１２の周りには、誘導電極１６が設けられている。誘導電極１６の上面、すなわち電極基板１７の上面は、樹脂層１８にて覆われている。なお、図３には、正側放電電極１１のみを示している。
【００１５】
回路基板は、正負の高電圧等を発生する放電電圧供給回路を有している。放電電圧供給回路が発生する電圧は正側および負側放電電極１１，１２、並びに誘導電極１６に供給される。具体的には、放電電圧供給回路は、正側放電電極１１に高圧の正のパルスを印加し、負側放電電極１２に高圧の負のパルスを印加し、誘導電極１６に誘導電極１６と正側放電電極１１および負側放電電極１２との間にて放電を生じさせる電圧を印加する。
【００１６】
正側および負側放電電極１１，１２は、本実施形態において先端部がブラシ形状の電極である。これら正側および負側放電電極１１，１２は、筐体部１３の上面から同じ高さ位置に突出し、間隔を空けて並んだ状態となっている。
【００１７】
誘導電極１６は、正側および負側放電電極１１，１２と絶縁され、正側および負側放電電極１１，１２の周りに設けられている。
【００１８】
なお、イオン発生装置１では、正側および負側放電電極１１，１２をそれぞれ１本ずつ有する構成としているが、複数本ずつ有していてもよい。この点は以下に示す他のイオン発生装置においても同様である。
【００１９】
（仕切り板１４）
仕切り板１４は、樹脂にて形成され、正側放電電極１１と負側放電電極１２との間の空間を仕切るように、正側放電電極１１と負側放電電極１２との間に設けられている。仕切り板１４の高さは、正側および負側放電電極１１，１２の上端部の高さよりも高くなっている。
【００２０】
ここで、イオン発生装置１は、空気調和機（機器）の風を吹き出す風路において、正側放電電極１１と負側放電電極１２との並び方向と交差する方向、好ましくは直交する方向に風が流れるように取り付けられる。図１および図２の（ｂ）には、風の流れ方向を矢印にて示す。したがって、仕切り板１４は、風路での風の流れ方向と平行である。
【００２１】
また、風の流れ方向において、仕切り板１４の風の流れの下流側端部（以下、単に下流側端部と称する）は、誘導電極１６の下流側端部よりも下流側には存在しないようになっている。すなわち、仕切り板１４の下流側端部は、誘導電極１６の下流側端部と同じ位置または誘導電極１６の下流側端部よりも上流側に存在するようになっている。なお、図１〜図３の例では、仕切り板１４の下流側端部は、誘導電極１６の下流側端部と同じ位置となっている。
【００２２】
また、正側および負側放電電極１１，１２と誘導電極１６との位置関係により、誘導電極１６の下流側端部よりも正側および負側放電電極１１，１２の下流側端部の方が下流側に存在する場合には次のようになる。すなわち、仕切り板１４の下流側端部は、正側および負側放電電極１１，１２の下流側端部と同じ位置または正側および負側放電電極１１，１２の下流側端部よりも上流側に存在する。
【００２３】
以上に示した仕切り板１４、誘導電極１６並びに正側および負側放電電極１１，１２の位置関係をまとめると次のようになる。すなわち、仕切り板１４の下流側端部は、正側および負側放電電極１１，１２並びに誘導電極１６の下流側端部のうちの最も下流側に存在する端部（以下、電極最下流側端部と称する）と同じ位置または電極最下流側端部よりも上流側に存在する。ここでいう誘導電極１６の電極最下流側端部は、正側および負側放電電極１１、１２周辺に略円形状に形成されている部分のみならず、接続部および分岐部も含む。
【００２４】
（電極保護部１５）
電極保護部１５は、正側放電電極１１に対する仕切り板１４とは反対側位置、および負側放電電極１２に対する仕切り板１４とは反対側位置にそれぞれ設けられている。電極保護部１５は、仕切り板１４と同様、高さが正側および負側放電電極１１，１２の上端部の高さよりも高くなっている。
【００２５】
電極保護部１５は、仕切り板１４と同様、風路での風の流れ方向と平行となっている。また、電極保護部１５は、四角形の枠形状であり、内側が開口部１５ａとなっている。具体的には、電極保護部１５は、棒形状の横部材１５ｂおよび棒形状の縦部材１５ｃを連結して形成されている。縦部材１５ｃは、風の流れの上流側の第１縦部材１５ｃ１と下流側の第２縦部材１５ｃ２とが存在する。横部材１５ｂは、第１縦部材１５ｃ１と第２縦部材１５ｃ２との上端部同士を連結している。なお、電極保護部１５の枠形状は四角形に限定されない。
【００２６】
（空気清浄機２１でのイオン発生装置１の配置状態）
イオン発生装置１は、各種の空気調和機の空気を吹き出す風路に取り付けて使用される。ここで、空気調和機は、エアーコンディショナー、空気清浄機、加湿器、あるいはその他の送風機能を有する各種装置を含む。
【００２７】
図４は、イオン発生装置１を取り付けた空気調和機としての空気清浄機２１の縦断面図である。図４に示すように、空気清浄機（機器）２１は、筐体２２の内部に上下方向の延びる吹出風路２３を有する。吹出風路２３の上端部は、開口部であり、吹出し口２３ａとなっている。
【００２８】
吹出風路２３の下部には送風機２４が設けられ、送風機２４は、例えば、後パネル２５、脱臭フィルタ２６および集塵フィルタ２７介して吹出風路２３に外部の空気を吸い込み、吸い込んだ空気を吹出し口２３ａから吹き出す。
【００２９】
（空気清浄機２１およびイオン発生装置１の動作、並びに利点）
上記の構成において、空気清浄機２１は、送風機２４が回転すると、空気清浄機２１の外部の空気を、後パネル２５、脱臭フィルタ２６および集塵フィルタ２７を介して吹出風路２３に取り込む。吹出風路２３に取り込まれた空気は、吹出風路２３内を吹出し口２３ａへ向かって流れ、吹出し口２３ａから吹き出される。
【００３０】
また、イオン発生装置１が動作すると、正側放電電極１１および負側放電電極１２と誘導電極１６との間にて放電が生じる。これにより、正側放電電極１１の先端部にて正イオンが発生し、負側放電電極１２の先端部にて負イオンが発生する。これら正および負イオンは、送風機２４が生じる風によって、空気とともに吹出し口２３ａから吹き出される。
【００３１】
ここで、発生した正および負イオンは互いに混ざり合うと再結合して中和されて消滅する。この場合には、吹出風路２３中のイオン濃度が低下する。しかしながら、イオン発生装置１では、正側放電電極１１と負側放電電極１２との間に仕切り板１４が存在することにより、発生した正および負イオンは互いに混ざり難く、正および負イオンのイオン濃度の低下を抑制することができる。
【００３２】
また、イオン発生装置１では、上記のように、正側放電電極１１と負側放電電極１２との間に仕切り板１４を有することにより、正側放電電極１１と負側放電電極１２との間隔が狭い場合であっても発生した正および負イオンが互いに混ざり難くなる。これにより、イオン発生装置１は、正側放電電極１１と負側放電電極１２との間隔を狭くして小型化することができる。
【００３３】
一方、イオン発生装置１では、正側および負側放電電極１１，１２の近くの仕切り板１４が存在するので、発生した正および負イオンは仕切り板１４に付着し易い。正および負イオンが仕切り板１４に付着すると、その分だけイオン濃度が低下する。したがって、仕切り板１４が風の流れの下流側に長いほど、正および負イオンが仕切り板１４に付着することによるイオン濃度の低下量は多くなる。しかしながら、イオン発生装置１では、仕切り板１４の下流側端部は、電極最下流側端部（正側および負側放電電極１１，１２並びに誘導電極１６の下流側端部のうちの最も下流側に存在する端部）と同じ位置または電極最下流側端部よりも上流側に存在する。すなわち、イオン発生装置１では、仕切り板１４の下流側端部は、可及的に短くなっており、発生した正および負イオンが仕切り板１４に付着してイオン濃度が低下する事態を抑制することができる。
【００３４】
また、電極保護部１５は、棒形状の横部材１５ｂおよび棒形状の縦部材１５ｃを連結して形成されており、壁が存在せず、表面積が小さくなっているので、発生した正および負イオンが電極保護部１５に付着してイオン濃度が低下する事態を抑制することができる。
【００３５】
また、電極保護部１５および仕切り板１４は、正側および負側放電電極１１，１２に対して、風の流れの上流側および下流側から並びに上方から他の物体が衝突しないように、正側および負側放電電極１１，１２を保護している。また、電極保護部１５は、正側および負側放電電極１１，１２に風の流れと交差する方向から他の物体が衝突しないように、正側および負側放電電極１１，１２を保護している。このように、仕切り板１４は、上記の仕切り板１４としての機能に加えて、正側および負側放電電極１１，１２に対する保護機能を備えている。
【００３６】
なお、本実施形態では、放電装置が正負のイオンを発生するイオン発生装置１である場合について説明した。しかしながら、放電装置は、イオン発生装置１に限定されず、正側放電電極１１と誘導電極１６との間の放電により第１の放電生成物を発生し、負側放電電極１２と誘導電極１６との間の放電により第２の放電生成物を発生するものであってもよい。この場合、放電装置が発生する第１および第２の放電生成物は、正負イオンの他、正または負に帯電した水の微粒子（帯電微粒子水）や帯電微粒子水と活性種からなる複合体であってもよい。このような放電装置の構成は、以下の他の実施形態についても同様である。
【００３７】
〔実施形態２〕
本発明の他の実施形態を図面に基づいて以下に説明する。なお、説明の便宜上、上記実施形態にて説明した部材と同じ機能を有する部材については、同じ符号を付記し、その説明を繰り返さない。
【００３８】
（イオン発生装置２）
図５の（ａ）は、本実施形態のイオン発生装置２の正面図、図５の（ｂ）は、イオン発生装置２の平面図である。
【００３９】
図５に示すように、イオン発生装置２は、仕切り板１４と正側放電電極１１との間、および仕切り板１４と負側放電電極１２との間にも電極保護部１５を有している。すなわち、正側および負側放電電極１１，１２は、それぞれ、風の流れ方向と交差する方向において、両側が電極保護部１５にて囲まれた状態となっている。これにより、イオン発生装置２は、電極保護部１５による正側および負側放電電極１１，１２の保護機能がイオン発生装置１よりも高くなっている。
【００４０】
イオン発生装置２のその他の構成は前述したイオン発生装置１と同様である。また、イオン発生装置２を備えた空気清浄機２１およびイオン発生装置２の動作、並びに利点は、前述したイオン発生装置１を備えた空気清浄機２１およびイオン発生装置１と同様である。
【００４１】
〔実施形態３〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【００４２】
（イオン発生装置３、仕切り板１４）
図６は、本実施形態のイオン発生装置３の正側放電電極１１、仕切り板１４および誘導電極１６の位置関係を示す説明図である。
【００４３】
図６は、正側放電電極１１に高電圧を印加した状態を示している。図６に示すように、正側放電電極１１は、高電圧を印加すると先端部が開いた形状となる。これは、ブラシを形成する複数の繊維同士が電気的な反発力により互いに離れようとするためである。
【００４４】
イオン発生装置３では、正側および負側放電電極１１，１２は、高電圧を印加した状態において、下流側端部が誘導電極１６より下流側に存在する。したがって、イオン発生装置３では、仕切り板１４の下流側端部は、電極最下流側端部と同じ位置または電極最下流側端部よりも上流側に存在する。イオン発生装置１に代えてイオン発生装置３を使用する場合、図４に示した空気清浄機２１は、イオン発生装置１に代えてイオン発生装置３を備える。
【００４５】
イオン発生装置３のその他の構成は前述したイオン発生装置１と同様である。また、イオン発生装置３を備えた空気清浄機２１およびイオン発生装置３の動作、並びに利点は、前述したイオン発生装置１を備えた空気清浄機２１およびイオン発生装置１の動作、並びに利点と同様である。
【００４６】
〔実施形態４〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【００４７】
（イオン発生装置４）
図７は、本実施形態のイオン発生装置４の正側放電電極１１、仕切り板１４および誘導電極１６の位置関係を示す説明図である。
【００４８】
図７に示すように、イオン発生装置４は、図３に示したブラシ形状の正側放電電極１１に代えて、針形状の正側放電電極１１を備えている。なお、図７では負側放電電極１２を示していないが、負側放電電極１２についても正側放電電極１１と同様の構成である。
【００４９】
正側および負側放電電極１１，１２は、ブラシ形状にするか針形状にするかは適宜選択することができ、さらには、ブラシ形状または針形状に限定されない。この点は、他の実施形態のイオン発生装置においても同様である。
【００５０】
イオン発生装置４のその他の構成は前述したイオン発生装置１と同様である。また、イオン発生装置４を備えた空気清浄機２１およびイオン発生装置４の動作、並びに利点は、前述したイオン発生装置１を備えた空気清浄機２１およびイオン発生装置１と同様である。
【００５１】
〔実施形態５〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【００５２】
（イオン発生装置５、電極保護部３１の構成、利点）
図８は、本実施形態のイオン発生装置５の構成を示す斜視図である。図８に示すように、イオン発生装置５は、図１に示した電極保護部１５に代えて電極保護部３１を有している。
【００５３】
電極保護部３１は、仕切り板１４の風の流れの上流側端部および下流側端部にそれぞれ位置し、棒形状の２対の縦部材３１ａおよび棒形状の１対の横部材３１ｂを連結して形成されている。
【００５４】
具体的には、上流側の電極保護部３１は、正側および負側放電電極１１，１２に対する仕切り板１４とは反対側位置に、上流側の縦部材３１ａである第１縦部材３１ａ１を有している。上流側の電極保護部３１の横部材３１ｂである第１横部材３１ｂ１は、正側放電電極１１側の第１縦部材３１ａ１の上端部から負側放電電極１２側の第１縦部材３１ａ１の上端部まで延びている。
【００５５】
同様に、下流側の電極保護部３１は、正側および負側放電電極１１，１２に対する仕切り板１４とは反対側位置に、下流側の縦部材３１ａである第２縦部材３１ａ２を有している。下流側の電極保護部３１の横部材３１ｂである第２横部材３１ｂ２は、正側放電電極１１側の第２縦部材３１ａ２の上端部から負側放電電極１２側の第２縦部材３１ａ２の上端部まで延びている。第１横部材３１ｂ１および第２横部材３１ｂ２は、中間部において仕切り板１４と連結されている。
【００５６】
電極保護部３１は、仕切り板１４と同様、高さが正側および負側放電電極１１，１２の上端部の高さよりも高くなっている。したがって、電極保護部３１および仕切り板１４は、イオン発生装置１の電極保護部１５および仕切り板１４と同様、正側および負側放電電極１１，１２に対する保護機能を備えている。なお、電極保護部３１は、横部材３１ｂを有している分、風の流れの上流側および下流側からの並びに上方からの正側および負側放電電極１１，１２への他の物体の衝突防止機能が電極保護部１５よりも高くなっている。
【００５７】
また、二つの電極保護部３１と仕切り板１４とは、電極保護部３１の横部材３１ｂにおいて連結されている。したがって、電極保護部３１および仕切り板１４は、イオン発生装置１の電極保護部１５および仕切り板１４と比較して強度が高く、これよっても正側および負側放電電極１１，１２に対する保護機能が高くなっている。
【００５８】
また、電極保護部３１は棒形状の縦部材３１ａおよび棒形状の横部材３１ｂを連結して形成されているので、筐体部１３の上面、左右の縦部材３１ａおよび横部材３１ｂによって囲まれる領域（左右の第１縦部材３１ａ１と第１横部材３１ｂ１とによって囲まれる領域、並びに左右の第２縦部材３１ａ２と第２横部材３１ｂ２とによって囲まれる領域）が開口部３１ｃ１となっている。これにより、筐体部１３の上面を流れる風は、電極保護部３１よって邪魔されることなく、流れることができる。
【００５９】
また、上流側の電極保護部３１と下流側の電極保護部３１との間において、上流側の第１縦部材３１ａ１と下流側の第２縦部材３１ａ２との間、および上流側の第１横部材３１ｂ１と下流側の第２横部材３１ｂ２との間は、開口部３１ｃ２となっている。
【００６０】
上記のように、電極保護部３１は、壁が存在しないので、発生した正および負イオンが電極保護部３１に付着してイオン濃度が低下する事態を抑制することができる。
【００６１】
イオン発生装置５のその他の構成は前述したイオン発生装置１と同様である。また、イオン発生装置５を備えた空気清浄機２１およびイオン発生装置５の動作、並びにイオン発生装置５のその他の利点は、前述したイオン発生装置１を備えた空気清浄機２１およびイオン発生装置１と同様である。
【００６２】
〔実施形態６〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【００６３】
（イオン発生装置６、電極保護部３２の構成、利点）
図９は、本実施形態のイオン発生装置６の構成を示す斜視図である。図９に示すように、イオン発生装置６は、図１に示した電極保護部１５に加えて電極保護部３２を有している。
【００６４】
電極保護部３２は、仕切り板１４と同じ長さを有し、仕切り板１４の上端部から正側および負側放電電極１１，１２の方向へ筐体部１３の上面（樹脂層１８の上面）と平行に突出した部材である。電極保護部３２は、複数の開口部３２ａを有している。
【００６５】
イオン発生装置６は、電極保護部１５に加えて、電極保護部３２を有しているので、イオン発生装置１と比較して、正側および負側放電電極１１，１２に対する保護機能が高くなっている。
【００６６】
イオン発生装置６のその他の構成は前述したイオン発生装置１と同様である。また、イオン発生装置６を備えた空気清浄機２１およびイオン発生装置６の動作、並びにイオン発生装置６のその他の利点は、前述したイオン発生装置１を備えた空気清浄機２１およびイオン発生装置１と同様である。
【００６７】
〔実施形態７〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【００６８】
（仕切り板４１）
図１０の（ａ）は、本実施形態のイオン発生装置７の正面図、図１０の（ｂ）は、図１０の（ａ）に示したイオン発生装置７の平面図である。
【００６９】
イオン発生装置７は、イオン発生装置１の仕切り板１４に代えて仕切り板（仕切り部材）４１を備えている。仕切り板４１は、正側放電電極１１の中心と負側放電電極１２の中心とを結ぶ線が仕切り板４１と交わる位置（以下、風流方向放電電極位置と称する）に対して、上流側部分の方が下流側部分よりも長くなっている。また、仕切り板４１は、下流側部分の方が上流側部分よりも幅が広くなっている。
【００７０】
（イオン発生装置７の利点）
上記の構成において、仕切り板４１は、風流方向放電電極位置に対して風の流れの下流側部分よりも上流側部分の方が長くなっているので、正側および負側放電電極１１，１２に吹き付ける風の流れを安定化させることができる。これにより、風の乱流によって正および負イオンが混ざり合い、イオン濃度が低下する事態を抑制することができる。
【００７１】
また、仕切り板４１は、下流側部分の方が上流側部分よりも幅が広くなっているので、正側および負側放電電極１１，１２を通過した風が仕切り板４１を通過した直後に合流するのを抑制することができるため、正および負イオンが混ざり合いイオン濃度が低下してしまう位置を下流側に移動させ、結果的に室内に高濃度のイオンを供給することができる。
【００７２】
なお、イオン発生装置７の仕切り板４１の構成は、他のイオン発生装置に対しても同様に適用可能である。
【００７３】
（誘導電極１６の構成例）
次に、誘導電極１６についての種々の構成例について以下に説明する。
【００７４】
（構成例１）
図１１は誘導電極１６の第１の構成例を示す平面図である。図１１に示す誘導電極１６は、例えば図１に示したイオン発生装置１にて使用されているものである。誘導電極１６は、電極基板１７の上に導体（例えば銅箔）にて形成されている。正側および負側放電電極１１，１２の周りは、導体が円形に除去されて、非電極領域１９となっている。
【００７５】
正側および負側放電電極１１，１２の周りの非電極領域１９の直径は、例えば５〜２０ｍｍの範囲である。なお、誘導電極１６の表面は導体が露出していても、レジストが施されていてもよい。この点は、以下に示す他の誘導電極１６の構成例においても同様である。
【００７６】
（構成例２）
図１２は誘導電極１６の第２の構成例を示す平面図である。図１２に示す構成例では、非電極領域１９は、完全な円形ではなく、一部が途切れた状態となっている。すなわち、誘導電極１６は、非電極領域１９の周りにおいて一部が途切れた状態となっている。
【００７７】
（構成例３）
図１３は誘導電極１６の第３の構成例を示す平面図である。図１３に示す誘導電極１６は、正側および負側放電電極１１，１２の周りに、それぞれリング形状部１６ａを有し、それらリング形状部１６ａが互いに接続部１６ｃによって接続されている。接続部１６ｃからは、接続部１６ｃに対して例えば垂直に分岐部１６ｈが分岐している。
【００７８】
（構成例４）
図１４は誘導電極１６の第４の構成例を示す平面図である。図１４に示す誘導電極１６は、正側および負側放電電極１１，１２の周りに、それぞれリング形状部１６ｂを有し、それらリング形状部１６ｂが互いに接続部１６ｃによって接続されている。接続部１６ｃからは、接続部１６ｃに対して例えば垂直に分岐部１６ｈが分岐している。誘導電極１６は、完全なリング形状ではなく、一部が途切れた状態となっている。
【００７９】
（構成例５）
図１５の（ａ）は誘導電極１６の第５の構成例を示す平面図、図１５の（ｂ）は図１５の（ａ）に示した誘導電極１６の正面図である。
【００８０】
図１５に示す誘導電極１６は、正側および負側放電電極１１，１２の周りに、それぞれリング形状部１６ｄを有し、それらリング形状部１６ｄがリング形状部１６ｄの直径に相当する幅の接続部１６ｅによって互いに接続されている。リング形状部１６ｄおよび接続部１６ｅは例えば導電性の金属板にて形成されている。
【００８１】
リング形状部１６ｄの下には脚部１６ｆが設けられ、脚部１６ｆは電極基板１７上に固定されている。したがって、リング形状部１６ｄおよび接続部１６ｅは、電極基板１７の上面よりも高い位置に設けられている。このような構成では、正側および負側放電電極１１，１２の上端部と誘導電極１６との距離が近くなり、正側および負側放電電極１１，１２の上端部と誘導電極１６との間の放電が生じ易くなる。
【００８２】
（構成例６）
図１６の（ａ）は誘導電極１６の第６の構成例を示す平面図、図１６の（ｂ）は図１６の（ａ）に示した誘導電極１６の正面図である。
【００８３】
図１６に示す誘導電極１６は、図１５に示した誘導電極１６において接続部１６ｅが除去された構成である。他の構成は、図１５に示した誘導電極１６と同様である。
【００８４】
（構成例７）
図１７の（ａ）は誘導電極１６の第７の構成例を示す平面図、図１７の（ｂ）は図１７の（ａ）に示した誘導電極１６の正面図である。
【００８５】
図１７に示す誘導電極１６は、２本の正側放電電極１１および２本の負側放電電極１２を有し、各正側放電電極１１の周りおよび各負側放電電極１２の周りに、それぞれリング形状部１６ｄを有する。正側放電電極１１の周りのリング形状部１６ｄ同士、および負側放電電極１２の周りのリング形状部１６ｄ同士は、リング形状部１６ｄの直径に相当する幅の接続部１６ｅによって互いに接続されている。リング形状部１６ｄの下には脚部１６ｆが設けられている点等、本構成例の誘導電極１６の他の構成は、図１５に示した誘導電極１６と同様である。
【００８６】
（仕切り板の効果の検証）
次に仕切り板の効果を検証した結果について説明する。図１８の（ａ）は、仕切り板の効果の検証に使用したイオン発生装置８を示す平面図、図１８の（ｂ）は、イオン発生装置８の正面図、図１８の（ｃ）は、イオン発生装置８の側面図である。図１９は、仕切り板の効果の検証のためのイオン濃度の測定状態を示す説明図である。図２０の（ａ）は、図１９に示した機器５１におけるイオン発生装置８の取り付け状態を示す正面図、図２０の（ｂ）は図２０の（ａ）におけるＤ−Ｄ断面図である。
【００８７】
（イオン濃度の測定条件）
図２０の(ａ)(ｂ)に示すように、イオン発生装置８は、機器５１の風路５１ａ内に、正側および負側放電電極１１，１２の並び方向と風路５１ａの方向とが直交するように取り付けた。イオン濃度の測定点Ｐは、図１９に示すように、イオン発生装置８から風下側に３５０ｍｍの点とした。
【００８８】
イオン発生装置８は、図１８の（ａ）（ｂ）に示すように、前述のイオン発生装置５と同様の電極保護部３１を有する。イオン発生装置８の仕切り板には、図２０の（ｂ）に示すように、４種類の仕切り板４２ａ〜４２ｄを使用した。
【００８９】
仕切り板４２ａは、正側放電電極１１と負側放電電極１２との間、かつ電極保護部３１の上流側部分と下流側部分との間に位置する仕切り板（以下、電極横の仕切り板と称する）である。仕切り板４２ａは、風流方向放電電極位置に対する風上側と風下側との長さが同じである。なお、風流方向放電電極位置は、前述したように、正側放電電極１１の中心と負側放電電極１２の中心とを結ぶ線が仕切り板４２ａと交わる位置である。なお、仕切り板４２ａの下流側端部は、イオン発生装置８の誘導電極１６の下流側端部と略同じ位置となっている。
【００９０】
仕切り板４２ｂは、仕切り板４２ａ（電極横の仕切り板）を風下側に長くした仕切り板（電極横＋風下の仕切り板）である。仕切り板４２ｃは、仕切り板４２ａ（電極横の仕切り板）を風上側に長くした仕切り板（電極横＋風上の仕切り板）である。仕切り板４２ｄは、仕切り板４２ｃ（電極横＋風上の仕切り板）から仕切り板４２ａ（電極横の仕切り板）を除去した状態の風上側のみの仕切板（風上の仕切り板）である。
【００９１】
（検証結果）
図２１は、仕切り板の効果の検証結果を示す説明図である。図２１では、イオン発生装置８において、仕切り板無しのイオン濃度を基準とし、仕切り板無しのイオン濃度に対する仕切り板４２ａ有り、仕切り板４２ｂ有り、仕切り板４２ｃ有り、仕切り板４２ｄ有りの各場合のイオン濃度の比率を示している。
【００９２】
図２１から分かるように、仕切り板４２ａ〜４２ｄの有りの各場合には仕切り板無しの場合よりも測定点Ｐでのイオン濃度（正負のイオン濃度）が上昇した。これにより、イオン濃度を高める上では、イオン発生装置８は、仕切り板４２ａ〜４２ｄのいずれかを有するのが有効であることが分かった。
【００９３】
また、仕切り板４２ａ有りの場合を基準とした場合、仕切り板４２ｂ有りおよび仕切り板４２ｄ有りの場合はイオン濃度が低下し、仕切り板４２ｃ有りの場合はイオン濃度が上昇した。これにより、さらにイオン濃度を上では、仕切り板４２ａの風上側を長くすること、すなわち仕切り板４２ｃが有効であることが分かった。
【００９４】
〔実施形態８〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【００９５】
図２２は、本実施形態の空気調和機としての空気清浄機６１の構成を示す縦断面図である。図２３は、図２２に示した空気清浄機６１に取り付けられるイオン発生装置７１を示す斜視図である。
【００９６】
（イオン発生装置７１の構成）
図２２に示すように、空気清浄機（放電装置を装着可能な機器）６１は、吹出風路２３にイオン発生装置７１が取り付けられている。イオン発生装置７１は、図２３に示すように、図１に示したイオン発生装置１において仕切り板１４を除去した構成である。イオン発生装置７１のその他の構成は、イオン発生装置１と同様である。なお、イオン発生装置７１は、イオン発生装置１から仕切り板１４を除去した構成のものに限定されず、イオン発生装置２〜６から仕切り板１４を除去した構成のもの、あるいはイオン発生装置７から仕切り板４１を除去した構成のものいずれかであってもよい。この点は、以下の他の実施形態においても同様である。
【００９７】
（空気清浄機６１の構成）
図２４は、空気清浄機６１の吹出風路２３にイオン発生装置７１を取り付けた状態を示す斜視図である。図２５の（ａ）は、図２４の状態の平面図、図２５の（ｂ）は、図２５の（ａ）に示した吹出風路２３の装置装着部８１の構成を示す平面図である。
【００９８】
図２５の（ｂ）に示すように、空気清浄機６１の吹出風路２３は装置装着部８１を有している。装置装着部８１は、装置装着穴８２および仕切り板８３を有している。装置装着穴８２は、吹出風路２３の側壁（周壁）を貫通して開口されている。
【００９９】
装置装着穴８２には、図２４および図２５の（ａ）に示すように、吹出風路２３の裏面からイオン発生装置７１が装着される。具体的には、装置装着穴８２には、イオン発生装置７１の電極保護部１５並びに正側および負側放電電極１１，１２の部分が装着される。これにより、電極保護部１５並びに正側および負側放電電極１１，１２は、吹出風路２３にイオン発生装置７１が装着された状態において、吹出風路２３内に突出する。
【０１００】
仕切り板８３は、装置装着穴８２の風上側位置に設けられている。仕切り板８３は、正側および負側放電電極１１，１２よりも高さが高く、長手方向が吹出風路２３での風の流れ方向と平行な板状部材である。仕切り板８３は、幅方向の中心が、装置装着穴８２に装着されたイオン発生装置７１の正側放電電極１１と負側放電電極１２との中間に位置する。仕切り板８３は、風の流れの下流側部分の幅が上流側部分の幅よりも広くなっている。また、仕切り板８３は、風の流れの下流側端部が装置装着穴８２の上流側端部付近まで延びている。空気清浄機６１のその他の構成は空気清浄機２１と同様である。
【０１０１】
（空気清浄機６１の動作および利点）
上記の構成において、空気清浄機６１の基本的な動作は、前述した空気清浄機２１と同様である。
【０１０２】
空気清浄機６１は装置装着部８１を有し、装置装着部８１にはイオン発生装置７１を着脱可能である。これにより、空気清浄機６１は、装置装着部８１に装着しているイオン発生装置７１の手入れが必要になった場合に、容易に作業が可能となる。
【０１０３】
また、空気清浄機６１は装置装着部８１に仕切り板８３を有している。これにより、イオン発生装置７１は、仕切り板８３を有する必要がなく、構成を簡素化することができる。
【０１０４】
また、仕切り板８３は、装置装着部８１にイオン発生装置７１を装着した状態において、正側および負側放電電極１１，１２に対する風の流れの上流側に延びているので、正側および負側放電電極１１，１２に吹き付け風の流れを安定化することができる。これにより、風の乱流によって正および負イオンが混ざり合い、イオン濃度が低下する事態を抑制することができる。
【０１０５】
さらに、仕切り板８３は、風の流れの下流側部分の方が上流側部分よりも幅が広くなっているので、正側および負側放電電極１１，１２に吹き付ける風の流れの安定化を促進する。
【０１０６】
また、仕切り板８３の下流側端部は、装置装着穴８２の上流側端部付近まで延びており、正側および負側放電電極１１，１２よりも上流側に位置する。これにより、正側および負側放電電極１１，１２から発生した正および負イオンが仕切り板８３にイオン濃度が低下する事態を抑制することができる。
【０１０７】
なお、本実施形態の空気清浄機６１では、イオン発生装置７１を吹出風路２３の装置装着部８１に直接装着する構成とした。しかしながら、空気清浄機６１は、装着補助具を備え、その装着補助具にイオン発生装置７１を装着し、イオン発生装置７１を装着した装着補助具を吹出風路２３に装着する構成であってもよい。この場合、装着補助具は、装置装着穴８２および仕切り板８３を有する装置装着部８１の構成を備え、吹出風路２３には装着補助具を装着する開口部が設けられる。この点は、以下の他の実施形態においても同様である。
【０１０８】
〔実施形態９〕
本発明のさらに他の実施形態を図面に基づいて以下に説明する。なお、説明の便宜上、上記実施形態にて説明した部材と同じ機能を有する部材については、同じ符号を付記し、その説明を繰り返さない。
【０１０９】
（空気清浄機６２の構成）
図２６は、本実施形態の空気調和機としての空気清浄機６２における吹出風路２３の装置装着部８４の構成を示す平面図である。
【０１１０】
本実施形態の空気清浄機６２は、前述した装置装着部８１に代えて装置装着部８４を有している。装置装着部８４は、前記装置装着穴８２、および前記仕切り板８３に代わる仕切り板８５を有している。
【０１１１】
仕切り板８５の風の流れの下流側端部は、装置装着部８４にイオン発生装置７１を装着した状態において、正側放電電極１１と負側放電電極１２との間よりも下流側へ延びている。具体的には、仕切り板８５は、仕切り板１４と同様、正側放電電極１１と負側放電電極１２との間に位置し、仕切り板８５の下流側端部は、電極最下流側端部（正側および負側放電電極１１，１２並びに誘導電極１６の下流側端部のうちの最も下流側に存在する端部）と同じ位置または電極最下流側端部よりも上流側に存在する。
【０１１２】
仕切り板８５および装置装着部８４のその他の構成は仕切り板８３および装置装着部８１と同様であり、空気清浄機６２のその他の構成は空気清浄機６１と同様である。
【０１１３】
（空気清浄機６２動作および利点）
上記の構成において、空気清浄機６２の基本的な動作は、前述した空気清浄機２１と同様である。
【０１１４】
空気清浄機６２では、仕切り板８５の下流側端部が、正側および負側放電電極１１，１２並びに誘導電極１６の下流側端部のうちの最も下流側に存在する電極最下流側端部と同じ位置または前記電極最下流側端部よりも上流側に存在する。これによる空気清浄機６２の利点は、下記のように、そのような構成による仕切り板１４の利点と同様である。
【０１１５】
すなわち、空気清浄機６２では、正側放電電極１１と負側放電電極１２との間に仕切り板８５が存在することにより、発生した正および負イオンは互いに混ざり難く、正および負イオンのイオン濃度の低下を抑制することができる。
【０１１６】
また、空気清浄機６２では、正側放電電極１１と負側放電電極１２との間に仕切り板８５が存在することにより、使用するイオン発生装置７１の正側放電電極１１と負側放電電極１２との間隔を狭くしてイオン発生装置７１を小型化することができる。
【０１１７】
また、空気清浄機６２では、仕切り板８５の下流側端部が電極最下流側端部と同じ位置または電極最下流側端部よりも上流側に存在するので、発生した正および負イオンが仕切り板８５に付着してイオン濃度が低下する事態を抑制することができる。空気清浄機６２のその他の利点は、前述した空気清浄機６１と同様である。
【０１１８】
〔まとめ〕
本発明の態様１に係る放電装置は、筐体と、前記筐体の上面から突出した第１および第２放電電極と、第３電極とを備え、前記第１および第２放電電極と前記第３電極との間の放電により、第１および第２放電生成物を生じる放電装置において、前記第１放電電極と前記第２放電電極との間に、高さが前記第１および第２放電電極の上端部よりも高い仕切り部材を備え、前記仕切り部材は、前記第１および第２放電電極の並び方向と交差する方向、かつ前記筐体の上面に沿う方向である風の流れ方向と平行に設けられ、前記風の流れの下流側端部が、前記第１および第２放電電極並びに前記第３電極の下流側端部のうちの最も下流側に存在する電極最下流側端部と同じ位置または前記電極最下流側端部よりも上流側に存在する。
【０１１９】
本発明の態様２に係る放電装置は、上記態様１において、棒形状の横部材および縦部材を連結して形成され、高さが前記第１および第２放電電極の上端部よりも高い電極保護部を備え、前記電極保護部は、前記第１および第２放電電極に対する前記仕切り部材とは反対側位置に、前記風の流れの上流側の第１縦部材と下流側の第２縦部材とを少なくとも有し、前記第１および第２放電電極に対する、前記風の流れの上流方向および下流方向、上方並びに前記仕切り部材とは反対方向が開放状態である構成としてもよい。
【０１２０】
本発明の態様３に係る放電装置は、上記態様２において、電極保護部は、前記第１放電電極側の前記第１縦部材の上端部から前記第２放電電極側の前記第１縦部材の上端部まで延びている、前記横部材である第１横部材、および前記第１放電電極側の前記第２縦部材の上端部から前記第２放電電極側の前記第２縦部材の上端部まで延びている、前記横部材である第２横部材を有し、前記第１および第２横部材は前記仕切り部材と連結されている構成としてもよい。
【０１２１】
本発明の態様４に係る放電装置は、上記態様１〜３のいずれか１態様において、前記仕切り部材は、前記第１放電電極の中心と前記第２放電電極の中心とを結ぶ線が前記仕切り部材と交わる位置に対して、前記風の流れの下流側部分よりも上流側部分の方が長くなっている構成としてもよい。
【０１２２】
本発明の態様５に係る放電装置は、上記態様１から４のいずれか１態様において、前記仕切り部材は、前記風の流れの下流側部分の方が上流側部分よりも幅が広くなっている構成としてもよい。
【０１２３】
本発明の態様６に係る機器は、上記態様１から５のいずれか１態様の放電装置を備えている。
【符号の説明】
【０１２４】
１〜７    イオン発生装置（放電装置）
１１    正側放電電極（第１放電電極）
１２    負側放電電極（第２放電電極）
１３    筐体部
１４，４１    仕切り板（仕切り部材）
１５，３１，３２    電極保護部
１５ａ，３１ｃ    開口部
１５ｂ，３１ｂ    横部材
１５ｃ，３１ａ    縦部材
１５ｃ１，３１ａ１    第１縦部材
１５ｃ２，３１ａ２    第２縦部材
１６    誘導電極（第３電極）
２１    空気清浄機（機器）
２２    筐体
２３    吹出風路（風路）
２３ａ  吹出し口
２４    送風機
３１ｂ１    第１横部材
３１ｂ２    第２横部材
５１    機器
６１，６２      空気清浄機
７１    イオン発生装置
８１，８４    装置装着部
８２    装置装着穴
８３，８５    仕切り板
【図１】
2020013143.tif 000003
【図２】
2020013143.tif 000004
【図３】
2020013143.tif 000005
【図４】
2020013143.tif 000006
【図５】
2020013143.tif 000007
【図６】
2020013143.tif 000008
【図７】
2020013143.tif 000009
【図８】
2020013143.tif 000010
【図９】
2020013143.tif 000011
【図１０】
2020013143.tif 000012
【図１１】
2020013143.tif 000013
【図１２】
2020013143.tif 000014
【図１３】
2020013143.tif 000015
【図１４】
2020013143.tif 000016
【図１５】
2020013143.tif 000017
【図１６】
2020013143.tif 000018
【図１７】
2020013143.tif 000019
【図１８】
2020013143.tif 000020
【図１９】
2020013143.tif 000021
【図２０】
2020013143.tif 000022
【図２１】
2020013143.tif 000023
【図２２】
2020013143.tif 000024
【図２３】
2020013143.tif 000025
【図２４】
2020013143.tif 000026
【図２５】
2020013143.tif 000027
【図２６】
2020013143.tif 000028
【国際調査報告】
2020013143.tif 000029
2020013143.tif 000030
2020013143.tif 000031
2020013143.tif 000032